(57)【特許請求の範囲】
【請求項１】
バイオマスが投入され、該バイオマスが燃焼し発熱する加熱層、該加熱層よりも低温とされ該バイオマスからガスが生成されるガス化層、及び該ガス化層よりも低温とされ該バイオマスが炭化する炭化層が内部に形成され、投入された前記バイオマスが前記炭化層側から前記加熱層側へ移動するガス化炉と、
前記ガス化層の前記バイオマスに供給されるガス化剤が通過する管を有し、前記ガス化炉内に導入された前記管の少なくとも一部が前記炭化層に位置するガス化剤供給部と、
を備え、
前記ガス化炉の中心部には、前記ガス化層で生成されたガスが前記炭化層側へ向けて通過する筒状の蓄熱部が設けられているバイオマスガス化装置。
【請求項２】
前記蓄熱部が、前記ガス化炉に対して回転変位する請求項１記載のバイオマスガス化装置。
【請求項３】
バイオマスが投入され、該バイオマスが燃焼し発熱する加熱層、該加熱層よりも低温とされ該バイオマスからガスが生成されるガス化層、及び該ガス化層よりも低温とされ該バイオマスが炭化する炭化層が内部に形成され、投入された前記バイオマスが前記炭化層側から前記加熱層側へ移動するガス化炉と、
前記ガス化層の前記バイオマスに供給されるガス化剤が通過する管を有し、前記ガス化炉内に導入された前記管の少なくとも一部が前記炭化層に位置するガス化剤供給部と、
を備え、
前記ガス化炉の内部には、前記炭化層側から前記ガス化層側へ向かう前記バイオマスを粉砕する粉砕部が設けられているバイオマスガス化装置。  
【請求項４】
前記ガス化剤供給部の前記管は、前記ガス化炉の内周面に沿って設けられている請求項１〜請求項３のいずれか１項に記載のバイオマスガス化装置。
【発明の詳細な説明】
【技術分野】
【０００１】
本発明は、バイオマスからガスを生成するバイオマスガス化装置に関する。
【背景技術】
【０００２】
下記特許文献１には、ガス化炉の上部からバイオマスを供給して、このバイオマスを熱分解させることによりガスを生成するバイオマスガス化装置（バイオマスの熱分解装置）が開示されている。
【先行技術文献】
【特許文献】
【０００３】
【特許文献１】特許第５６５６０２２号公報
【発明の概要】
【発明が解決しようとする課題】
【０００４】
ところで、バイオマスガス化装置の一部を構成するガス化炉の内部の熱が当該ガス化炉の外部へ放熱されることや、ガス化炉の内部に供給されるガス化剤によって当該ガス化炉の内部の温度が低下すること等により、バイオマスを加熱するための熱エネルギーが奪われると、バイオマスからガスを効率よく生成することが難しい。また、生成されたガスの不純物（タール他）を除去するための精製装置が必要で構成する装置が複雑で大掛かりなものにならざるおえなかった。
【０００５】
本発明は上記事実を考慮し、バイオマスからガスを効率よく生成することができるバイオマスガス化装置を得ること及び装置の小型化（精製工程のガス化装置との一体化）が目的である。
【課題を解決するための手段】
【０００６】
請求項１記載のバイオマスガス化装置は、バイオマスが投入され、該バイオマスが燃焼し発熱する加熱層、該加熱層よりも低温とされ該バイオマスからガスが生成されるガス化層、及び該ガス化層よりも低温とされ該バイオマスが炭化する炭化層が内部に形成され、投入された前記バイオマスが前記炭化層側から前記加熱層側へ移動するガス化炉と、前記ガス化層の前記バイオマスに供給されるガス化剤が通過する管を有し、前記ガス化炉内に導入された前記管の少なくとも一部が前記炭化層に位置するガス化剤供給部と、を備え、前記ガス化炉の中心部には、前記ガス化層で生成されたガスが前記炭化層側へ向けて通過する筒状の蓄熱部が設けられている。
【０００７】
請求項１記載のバイオマスガス化装置によれば、バイオマスの加熱層においてバイオマスが燃焼し発熱する。また、加熱層からの熱等により加熱されたガス化層のバイオマスへガス化剤が供給されると、ガス化層のバイオマスとガス化剤が反応して、当該ガス化層においてガスが生成される。また、ガス化層からの熱等により加熱された炭化層のバイオマスは炭化される。そして、炭化層のバイオマスはガス化層へ移動し、ガス化層のバイオマスは加熱層へ移動する。ここで、請求項１記載の発明では、ガス化剤がガス化剤供給部の管を通じてガス化層のバイオマスへ供給される。また、ガス化剤供給部の菅の少なくとも一部は、炭化層を形成するバイオマスの内部に配置されている。これにより、炭化層のバイオマスからガス化剤供給部に伝達される熱により、当該ガス化剤供給部の内部を流れるガス化剤を加熱することができると共に、ガス化剤供給部内で加熱されたガス化剤をガス化層のバイオマスへ供給することができる。その結果、ガス化剤が供給されることによるガス化層のバイオマスの温度の低下が抑制され、ガス化炉の内部のバイオマスからガスを効率よく生成することができる。
また、請求項１記載のバイオマスガス化装置によれば、ガス化層で生成されたガスは、蓄熱部を通じて炭化層側へ向けて流れる。これにより、蓄熱部内を流れるガスにより当該蓄熱部が温められる。これにより、ガス化炉の中心部の温度の低下が抑制され、当該ガス化炉内のバイオマスからガスを効率よく生成することができる。
【０００８】
請求項２記載のバイオマスガス化装置は、請求項１記載のバイオマスガス化装置において、前記蓄熱部が、前記ガス化炉に対して回転変位する。
【０００９】
請求項２記載のバイオマスガス化装置によれば、蓄熱部がガス化炉に対して回転変位すると、ガス化炉の内周面と蓄熱部の外周面との間のバイオマスが撹拌される。これにより、ガス化炉の内部においてバイオマスがブリッジ化する（バイオマスがアーチ構造を形成する）ことを抑制することができる。
【００１０】
請求項３記載のバイオマスガス化装置は、バイオマスが投入され、該バイオマスが燃焼し発熱する加熱層、該加熱層よりも低温とされ該バイオマスからガスが生成されるガス化層、及び該ガス化層よりも低温とされ該バイオマスが炭化する炭化層が内部に形成され、投入された前記バイオマスが前記炭化層側から前記加熱層側へ移動するガス化炉と、前記ガス化層の前記バイオマスに供給されるガス化剤が通過する管を有し、前記ガス化炉内に導入された前記管の少なくとも一部が前記炭化層に位置するガス化剤供給部と、を備え、前記ガス化炉の内部には、前記炭化層側から前記ガス化層側へ向かう前記バイオマスを粉砕する粉砕部が設けられている。  
【００１１】
請求項３記載のバイオマスガス化装置によれば、炭化層側からガス化層側へ向かうバイオマスが、粉砕部によって粉砕される。これにより、ガス化層におけるバイオマスとガス化剤とが接触する面積を広くすることができ、ガス化炉の内部のバイオマスからガスを効率よく生成することができる。
【００１４】
請求項４記載のバイオマスガス化装置は、請求項１〜請求項３のいずれか１項に記載のバイオマスガス化装置において、前記ガス化剤供給部の前記管は、前記ガス化炉の内周面に沿って設けられている。
【００１５】
請求項４記載のバイオマスガス化装置によれば、ガス化剤供給部の管がガス化炉の内周面に沿って設けられていることにより、ガス化炉の内部の熱がガス化炉の内周面を通じて当該ガス化炉の外部に放熱されることを抑制することができる。これにより、ガス化炉の内部のバイオマスの温度の低下が抑制され、ガス化炉の内部のバイオマスからガスを効率よく生成することができる。
【発明の効果】
【００２０】
請求項１及び請求項３記載のバイオマスガス化装置は、バイオマスからガスを効率よく生成することができる、という優れた効果を有する。
【００２１】
請求項２記載のバイオマスガス化装置は、ガス化炉内におけるバイオマスのブリッジ化を抑制することができる、という優れた効果を有する。
【図面の簡単な説明】
【００２３】
【図１】バイオマスガス化装置の断面を模式的に示す断面図である。
【図２】ガス化炉の内部におけるバイオマスの動き及び生成ガスの流れを説明するための図１に対応する断面図である。
【発明を実施するための形態】
【００２４】
図１を用いて、本発明の実施形態に係るバイオマスガス化装置について説明する。
【００２５】
図１に示されるように、本実施形態のバイオマスガス化装置１０は、一例として木材等のバイオマス１２が投入されると共に当該バイオマス１２が下方側へ移動しながら熱分解されるガス化炉１４と、ガス化炉１４へバイオマス１２を投入する投入物供給制御器１６と、を備えている。また、バイオマスガス化装置１０は、ガス化炉１４の内部へ後述するガス化剤を供給するガス化剤供給部としてのガス化剤供給管１８と、ガス化炉１４の内部で生成された生成ガスをガス化炉１４の外部へ送出する生成ガス送出部としての生成ガス送出管２０と、を備えている。さらに、バイオマスガス化装置１０は、ガス化炉１４の内部へ酸素を供給する酸素供給制御器２２と、生成ガス送出管２０に設けられた熱交換器２４と、熱交換器２４へ水を供給する水供給器２８と、を備えている。また、バイオマスガス化装置１０は、ガス化炉１４の中心部に設けられた蓄熱部としての蓄熱パイプ３０と、蓄熱パイプ３０を回転させる蓄熱パイプ回転制御器３２と、ガス化炉１４に投入されたバイオマス１２を粉砕する粉砕部としての固定篩３４及び回転篩３６と、を備えている。なお、本実施形態の説明においては、ガス化炉１４の内部に投入されたバイオマス１２と当該バイオマス１２の組成が変化した物質についても「バイオマス１２」という名称を用いて説明している。
【００２６】
ガス化炉１４は、上端部及び下端部が閉止された筒状に形成されており、このガス化炉１４は、上下方向を軸方向とする円筒状の円筒部１４Ａと、円筒部１４Ａの上端を閉止する上壁部１４Ｂと、円筒部１４Ａの下端部を閉止すると共に中心部が下方側へ向けて窪んだ下壁部１４Ｃと、を備えている。ガス化炉１４の上端部には、所定のサイズに粉砕されたバイオマス１２を投入する投入物供給制御器１６が接続されている。また、ガス化炉１４の内部の下端部には、ガス化しなかったバイオマス１２である炭化物、半炭化物や、稼働初期の不燃バイオマス１２（以下「加熱層Ｓ５のバイオマス１２」という）を加熱及び燃焼させるためのコンロ３８が設けられている。また、コンロ３８の下方側には、加熱層Ｓ５で燃え尽きた残りの灰や燃え残った炭化物や不燃バイオマスを取り出すための灰分排出部４０が設けられている。なお、このコンロ３８の上方側の加熱層Ｓ５のバイオマス１２には、後述する酸素供給制御器２２から酸素、空気又は酸素と空気の混合気が供給されるようになっている。そして、酸素、空気又は酸素と空気の混合気が、加熱層Ｓ５のバイオマス１２へ供給されて、当該加熱層Ｓ５のバイオマス１２が燃焼する。この加熱層Ｓ５のバイオマス１２の温度は、一例として１０００℃を超えている。
【００２７】
加熱層Ｓ５の上方側に形成されたガス化層Ｓ４のバイオマス１２は、約８００℃の温度とされ、このガス化層Ｓ４のバイオマス１２へ後述するガス化剤が供給されることでガス化層Ｓ４のバイオマス１２とガス化剤とがガス化反応して、Ｈ２、ＣＯ、ＣＯ２等の水生ガスが生成される。ここで、ガス化反応とは、炭化物が過熱水蒸気を浴びて水性ガスになる反応（吸熱反応）のことをいう。なお、過熱水蒸気量が多いとシフト反応（ＣＯ＋Ｈ２Ｏ→ＣＯ２＋Ｈ２）が起こり、発熱量が低下するが、本実施形態では、このガス化層Ｓ４の温度が８００℃と高温なため、上記シフト反応は起きないようになっている。
【００２８】
ガス化層Ｓ４の上方側に形成された炭化層Ｓ３のバイオマス１２は、その下方側の加熱層Ｓ５からの高温の燃焼ガスの熱等により、酸素不足の雰囲気中で熱分解を起こし、可燃性ガス（ＣＨ４、ＣＯ、Ｈ２）と炭化物になる。可燃性ガスは上昇し、炭化物は下降する。なお、ガス化層Ｓ４において、生成された水性ガスにはガス状タールや他不純物が含まれており、バイオマス粉砕物、半炭化物、炭化物からなる混在物（炭化層Ｓ３のバイオマス１２）がガス精製機能（フィルター）の役割を果たし、ある程度のガス状タールが炭化層Ｓ３のバイオマス１２により吸収される（吸着される）。また、炭化層Ｓ３の下端部のバイオマス１２は、後述する回転篩３６及び固定篩３４により粉砕された後、ガス化層Ｓ４側へ向けて下降する。なお、炭化層Ｓ３のバイオマス１２の温度は、ガス化層Ｓ４のバイオマス１２の温度よりも低い温度である。
【００２９】
炭化層Ｓ３の上方側に形成された乾燥層としての第２乾燥層Ｓ２のバイオマス１２は、下記の乾燥層としての第１乾燥層Ｓ１である程度の乾燥のあったバイオマス１２（第１乾燥層Ｓ１のバイオマス１２）が下降してきたものである。第２乾燥層Ｓ２のバイオマス１２は、この第２乾燥層Ｓ２で完全に乾燥される。また、炭化層Ｓ３等から上昇してきたガスには、ガス状タールが含まれているが、この第２乾燥層Ｓ２のバイオマス１２がフィルターの役目を担い、ガス状タールは第２乾燥層Ｓ２のバイオマス１２に吸収される（吸着される）。なお、第２乾燥層Ｓ２のバイオマス１２の温度は、炭化層Ｓ３のバイオマス１２の温度よりも低い温度である。
【００３０】
第２乾燥層Ｓ２の上方側に形成された第１乾燥層Ｓ１のバイオマス１２は、後述する投入物供給制御器１６から送り出されたバイオマス１２が、第２乾燥層Ｓ２側から上昇してきた高熱の燃焼ガス等により最初に乾燥を受けるゾーンである。第１乾燥層Ｓ１のバイオマス１２は、その下方側の層のバイオマス１２の分解が進むにつれて下降する。なお、第１乾燥層Ｓ１のバイオマス１２の温度は、第２乾燥層Ｓ２のバイオマス１２の温度よりも低い温度である。
【００３１】
投入物供給制御器１６は、ガス化炉１４へ粉砕されたバイオマス１２を定量的に送りこむ装置であり、投入されるバイオマス１２の量を調節する。本実施形態では、ガス化炉１４の内部におけるバイオマス１２の高さが一定となるように、投入物供給制御器１６を使用して、投入するバイオマス１２の量を調節するようになっている。
【００３２】
ガス化剤供給管１８は、ガス化層Ｓ４のバイオマス１２に供給されるガス化剤が通過する筒状に形成されている。なお、ガス化剤としては、「過熱水蒸気」「空気」「酸素」「酸素と空気の混合気（Ｏ２リッチの空気）である。本実施形態では、ガス化剤として「過熱水蒸気」が用いられる。なお、ガス化剤として酸素と空気の混合気を用いる場合は、大気（空気）の酸素比率を５％〜１０％リッチにすることで、バイオマス１２のガス化を促すことができることが試験により分かっている。ガス化剤供給管１８について詳述すると、ガス化剤供給管１８は、その大部分がガス化炉１４の外部に配置された外部供給管４２と、ガス化炉１４の内部に配置されていると共に外部供給管４２と接続された管としての螺旋管４４と、を主要な要素として構成されている。外部供給管４２の一方側の端部は、後述する熱交換器２４に接続されており、外部供給管４２の他方側の端部は、螺旋管４４の上端部に接続されている。螺旋管４４は、ガス化炉１４の円筒部１４Ａの内周面に沿って上方側から下方側へ螺旋状に延在されている。また、螺旋管４４の下端部には、ガス化炉１４の中心側に向けて延びると共に当該ガス化炉１４の中心側の端部がガス化剤吹出口４６Ａとされた複数のガス化剤吹出部４６が設けられている。このガス化剤吹出部４６は、ガス化層Ｓ４のバイオマス１２の内部に配置されている。また、螺旋管４４の上方側の部位を除く大部分は、第１乾燥層Ｓ１、第２乾燥層Ｓ２、炭化層Ｓ３及びガス化層Ｓ４のバイオマス１２の内部に配置されている。
【００３３】
生成ガス送出管２０は、ガス化炉１４の円筒部１４Ａの上下方向の中間部の内周面に接続されている。この生成ガス送出管２０の一部は、円筒部１４Ａの内側（ガス化炉１４の中心部側）に向けて延出しており、この延出している部分の端部は第２乾燥層Ｓ２のバイオマス１２内に開放された生成ガス送出口２０Ａとされている。
【００３４】
熱交換器２４は、生成ガス送出管２０においてガス化炉１４の外側に延在している部分の途中に設けられている。この熱交換器２４の内部には、水供給器２８からガス化剤となる液体としての水２６が供給される。そして、生成ガス送出管２０の内部を流れる生成ガスの熱が、生成ガス送出管２０を介して熱交換器２４の内部の水２６及び当該水２６が気化することにより生じた水蒸気に伝達される。換言すると、生成ガスが、生成ガス送出管２０において熱交換器２４が設けられた部分を通過することで、当該生成ガスが冷却されると共に、熱交換器２４内の水２６及び水蒸気が加熱される。
【００３５】
酸素供給制御器２２は、前述したとおり、加熱層Ｓ５のバイオマス１２へ空気又は酸素と空気の混合気を供給する。この酸素供給制御器２２には、ガス化剤供給管１８と同様の構成の酸素供給管（図示省略）が接続されている。そして、酸素供給制御器２２から供給された空気又は酸素と空気の混合気が、酸素供給管を通過して、当該酸素供給管に接続された吹出管４８の燃焼用気体吹出口４８Ａから加熱層Ｓ５のバイオマス１２へ向けて吹き出されるようになっている。
【００３６】
蓄熱パイプ３０は、ガス化炉１４の円筒部１４Ａと同軸上に配置されていると共にその内径が円筒部１４Ａの内径の約３割程度の内径とされた円筒状に形成されている。この蓄熱パイプ３０の下端部は、ガス化層Ｓ４のバイオマス１２側に向けて開放されており、蓄熱パイプ３０の上端部は、第１乾燥層Ｓ１のバイオマス１２側へ向けて開放されている。また、蓄熱パイプ３０の上端部には、上方側に向けて凸状に湾曲された笠５０が取付けられている。これにより、第１乾燥層Ｓ１のバイオマス１２が蓄熱パイプ３０の内部へ落下しないようになっている。また、蓄熱パイプ３０の上端部と笠５０との間には、隙間が形成されている。これにより、蓄熱パイプ３０を上昇した生成ガス（ガス化層Ｓ４で生成されたガス）が、笠５０にガイドされることで第２乾燥層Ｓ２のバイオマス１２側へ向けて流れることが可能となっている。また、蓄熱パイプ３０には、当該蓄熱パイプ３０の内部を流れる生成ガスの熱が蓄熱されるようになっている。この蓄熱パイプ３０に蓄熱された熱により、ガス化炉１４の内部の温度の一定化を図ることが可能となっている。
【００３７】
蓄熱パイプ回転制御器３２は、モータ５２と、モータ５２の出力軸の回転を蓄熱パイプ３０へ伝達する伝達機構５４と、を含んで構成されている。そして、モータ５２の出力軸の回転が伝達機構５４を介して蓄熱パイプ３０に伝達されることで、蓄熱パイプ３０が、ガス化炉１４に対して回転変位するようになっている。
【００３８】
固定篩３４及び回転篩３６は、炭化層Ｓ３のバイオマス１２の内部に配置されるようになっている。固定篩３４は、バイオマス１２が通過可能な開口を有する網状に構成されており、この固定篩３４の外周部は、ガス化炉１４の円筒部１４Ａに固定されている。回転篩３６は、固定篩３４の上方側において当該固定篩３４と近接して配置されており、この回転篩３６は固定篩３４と同様にバイオマス１２が通過可能な開口を有する網状に構成されている。また、回転篩３６の内周部は、蓄熱パイプ３０に固定されている。これにより、回転篩３６が蓄熱パイプ３０と共に回転するようになっている。また、回転篩３６が回転することで、当該回転篩３６を通過した炭化層Ｓ３のバイオマス１２が回転篩３６と固定篩３４との間ですり潰された（細かく砕かれた）後に、固定篩３４を通過してガス化層Ｓ４側へ下降するようになっている。なお、本実施形態では、固定篩３４及び回転篩３６の耐久性等を考慮して、当該固定篩３４及び回転篩３６の形状は下方側へ向かうにつれて窄まるロート状とされている。
【００３９】
（本実施形態の作用並びに効果）
次に、本実施形態の作用並びに効果について、図２を用いて説明する。
【００４０】
以上説明した本実施形態のバイオマスガス化装置１０によれば、投入物供給制御器１６により設定された分量のバイオマス１２がガス化炉１４の内部に投入される。なお、矢印ｍ１は、この時のバイオマス１２の経路を示している。また、図中に示す矢印ｍ１〜ｍ６は、ガス化炉１４の内部に投入されたバイオマス１２の移動方向を示している。
【００４１】
次に、第１乾燥層Ｓ１において、その下方側から上昇してきた燃焼ガスによりバイオマス１２が乾燥される。そして、第１乾燥層Ｓ１のバイオマス１２は第２乾燥層Ｓ２へ移動しながら（矢印ｍ２）更に乾燥される。
【００４２】
第２乾燥層Ｓ２から炭化層Ｓ３へ移動したバイオマス１２は、その下方側からの高熱の燃焼ガスにより熱分解され、可燃性ガス（ＣＨ４、ＣＯ、Ｈ２等）、ガス状タール、炭化物になる。可燃性ガスは上昇し、炭化物は下降する（矢印ｍ３）。また、ガス状タールは炭化層Ｓ３及び第２乾燥層Ｓ２に吸着される。
【００４３】
炭化層Ｓ３の下部まで下降してきた炭化物は、蓄熱パイプ３０と共に回転する回転篩３６を通り抜け、回転しない固定篩３４の間に落ちる。そして、バイオマス１２（固形の炭化物）が、回転篩３６と固定篩３４の間で磨り潰された後に固定篩３４を通り抜けてガス化層Ｓ４へ下降する（矢印ｍ４、ｍ５、ｍ６）
【００４４】
ガス化層Ｓ４では、ガス化剤供給管１８を流れるガス化剤がガス化剤吹出口４６Ａから吹き出される。そして、ガス化層Ｓ４のバイオマス１２（炭化物細片）とガス化剤とが反応（吸熱反応）して、生成ガス（ＣＯ、Ｈ２等）が生成される。なお、図中に示す矢印Ｇ１〜Ｇ４は、生成ガスの流れを示している。
【００４５】
ガス化層Ｓ４で生成された生成ガスの一部は、炭化層Ｓ３を上昇し（矢印Ｇ１）、生成ガスの他の一部は、蓄熱パイプ３０の内部を上昇する（矢印Ｇ２）。炭化層Ｓ３を上昇した生成ガスは、第２乾燥層Ｓ２を通過した後に、生成ガス送出管２０を通じてガス化炉１４の外部へ送出される（矢印Ｇ３）。また、蓄熱パイプ３０を上昇した生成ガスは、笠５０にガイドされることで第２乾燥層Ｓ２のバイオマス１２側へ向けて流れた後に（矢印Ｇ４）、生成ガス送出管２０を通じてガス化炉１４の外部へ送出される。なお、蓄熱パイプ３０を上昇する生成ガスは、当該蓄熱パイプ３０の内部でガス状タール、ミスト状タールの吸収を受けないので、ガス状タールを含んだまま、炭化層Ｓ３を上昇した生成ガスと可燃性ガスの混合ガスに混合（合流）する。また、蓄熱パイプ３０を上昇する生成ガスに含まれる粉塵はサイクロン状態となった生成ガスの流れを受けて除去される（下方側に落ちる）。
【００４６】
ここで、ガス化層Ｓ４においてガス化反応ができなかったバイオマス１２（炭化物細片や液状タールを含む）は、加熱層Ｓ５で燃焼されることで高熱燃焼ガスを生成する。高熱の燃焼ガスはガス化層Ｓ４から第１乾燥層Ｓ１側へ上昇しながら、ガス化炉１４、蓄熱パイプ３０、ガス化剤供給管１８の螺旋管４４を加熱する。なお、加熱層Ｓ５の燃焼ガスの温度は１０００℃程度の高熱のため、その上方側のガス化層Ｓ４においては、液状タールはそのほとんどが分解され可燃性ガスとなる。また、炭化層Ｓ３は、８００℃以上であるため、水蒸気によるシフト反応（ＣＯ＋Ｈ２Ｏ→ＣＯ２＋Ｈ２）は起きず、生成ガスの発熱量の低下は殆ど無い。また、 加熱層Ｓ５において、燃焼できなかったバイオマス１２（炭化物細片等を含む）があれば灰分と共に溜まり、灰分排出部４０から取り出される。
【００４７】
次に、本実施形態のバイオマスガス化装置１０の特有の効果について説明する。
【００４８】
本実施形態のバイオマスガス化装置１０では、ガス化剤供給管１８においてガス化炉１４の内部に配置された螺旋管４４の上方側の部位を除く大部分が、第１乾燥層Ｓ１、第２乾燥層Ｓ２、炭化層Ｓ３及びガス化層Ｓ４のバイオマス１２の内部に配置されている。これにより、螺旋管４４の内部を流れるガス化剤をさらに加熱することができると共に、螺旋管４４の内部で加熱されたガス化剤をガス化層Ｓ４のバイオマス１２へ供給することができる。その結果、ガス化剤が供給されることによるガス化層Ｓ４のバイオマス１２の温度の低下が抑制され、ガス化炉１４の内部のバイオマス１２からガスを効率よく生成することができる。
【００４９】
また、本実施形態では、ガス化剤供給管１８の螺旋管４４が、ガス化炉１４の円筒部１４Ａの内周面に沿って上方側から下方側へ螺旋状に延在されている。当該構成とすることにより、ガス化炉１４の内部の熱が当該ガス化炉１４の円筒部１４Ａの内周面を通じてガス化炉１４の外部に放熱されることを抑制することができる。これにより、ガス化炉１４の内部のバイオマスの温度の低下が抑制され、ガス化炉１４の内部のバイオマス１２からガスを効率よく生成することができる。
【００５０】
また、本実施形態のバイオマスガス化装置１０では、ガス化炉１４の内部で生成されたガスは、生成ガス送出管２０を通じて送出される。この時、生成ガス送出管２０の内部を流れる生成ガスの熱が、熱交換器２４を介して当該熱交換器２４の内部の水２６に伝達される。これにより、ガス化剤供給管１８を通じてガス化層Ｓ４のバイオマス１２へ供給されるガス化剤を生成することができると共に生成されたガス化剤（水蒸気）を加熱することができる。その結果、ガス化剤が供給されることによるガス化層Ｓ４のバイオマス１２の温度の低下が抑制され、ガス化炉１４の内部のバイオマス１２からガスを効率よく生成することができる。なお、本実施形態では、一例として、熱交換器２４の内部で生成されたガス化剤（水蒸気）の温度は１２０℃程度であり、このガス化剤がガス化剤供給管１８の螺旋管４４内で８５０℃程度まで加熱される。すなわち、螺旋管４４は、ガス化炉１４の内部の熱と熱交換する熱交換機能を有している。
【００５１】
さらに、本実施形態のバイオマスガス化装置１０では、ガス化層Ｓ４で生成されたガスの一部が、蓄熱パイプ３０を通じて上方側へ向けて流れる。これにより、蓄熱パイプ３０内を流れるガスにより当該蓄熱パイプ３０が温められる。これにより、ガス化炉１４の中心部の温度の低下が抑制されると共にガス化炉１４内の温度が保たれることで、当該ガス化炉１４内のバイオマス１２からガスを効率よく生成することができる。なお、蓄熱パイプ３０は、セラミックスなどの蓄熱性能が良好な材料を用いて形成されている。
【００５２】
また、本実施形態のバイオマスガス化装置１０では、蓄熱パイプ３０が蓄熱パイプ回転制御器３２の作動に伴い回転する。蓄熱パイプ３０が回転すると、ガス化炉１４の円筒部１４Ａの内周面と蓄熱パイプ３０の外周面との間のバイオマスが撹拌される。これにより、ガス化炉１４の内部においてバイオマス１２がブリッジ化する（バイオマス１２がアーチ構造を形成する）ことを抑制することができる。また、ガス化炉１４の内部の各層（第２乾燥層Ｓ２及び炭化層Ｓ３）におけるバイオマス１２に熱むらを生じることを抑制することができる。
【００５３】
ところで、ガス化炉１４の内部のバイオマス１２の下降速度が早くなると、各層（第１乾燥層Ｓ１、第２乾燥層Ｓ２、炭化層Ｓ３及びガス化層Ｓ４）での分解が不十分となり、加熱層Ｓ５に未燃物が残り、未燃バイオマスが蓄積する。これに対して、ガス化炉１４の内部のバイオマス１２の下降速度が遅くなると、ガス化までに生成される可燃性ガスや燃焼物及び熱の循環が滞り、バイオマス１２の分解が停止された状態となる。しかしながら、本実施形態では、バイオマス１２の下降速度を、蓄熱パイプ３０の回転により適正に制御することが出来る。なお、蓄熱パイプ３０を備えていないバイオマスガス化装置では、自然落下によりバイオマス１２が性状変化しながら落下していくため下降が早い場合、遅い場合の現象が不定期に生じ、バイオマス１２の分解が停止された状態になるケースが増え、バイオマスガス化装置の安定的な連続稼働が妨げられる。
【００５４】
また、本実施形態のバイオマスガス化装置１０では、ガス化炉１４の内部の生成ガスを送出するための生成ガス送出管２０の生成ガス送出口２０Ａが、第２乾燥層Ｓ２のバイオマス１２内に開放されている。これにより、第２乾燥層Ｓ２の下方側から上昇してきたガス状タールを第２乾燥層Ｓ２のバイオマス１２に吸着させることができる。これにより、ガス化炉１４の内部で生成された生成ガスとガス状タールを分離することができる。特に、本実施形態では、遠心分離機等を設けることなく、ガス化炉１４の内部で生成された生成ガスとガス状タールを容易に分離することができる。これに加えて、本実施形態では、単一のガス化炉１４の内部でバイオマス１２の分解から生成されたガスの精製（ガス状タールの分離）を行うことができる。これにより、バイオマスガス化装置１０の小型化を図ることができる。なお、可動式のバイオマスガス化装置や狭いスペースに設置されるバイオマスガス化装置においては、当該バイオマスガス化装置１０の小型化が望まれている。
【００５５】
さらに、本実施形態のバイオマスガス化装置１０では、蓄熱パイプ３０と共に回転篩３６が回転すると、当該回転篩３６を通過した炭化層Ｓ３のバイオマス１２が回転篩３６と固定篩３４との間で細かく砕かれる。そして、細かく砕かれた炭化層Ｓ３のバイオマス１２は、固定篩３４を通過してガス化層Ｓ４側へ下降する。これにより、ガス化層Ｓ４におけるバイオマス１２とガス化剤とが接触する面積を広くすることができる。これにより、ガス化層Ｓ４のバイオマス１２とガス化剤との反応を促すことができ（反応の短時間化を図ることができ）、ガス化炉１４の内部のバイオマス１２からガスを効率よく生成することができる。
【００５６】
なお、バイオマスガス化装置１０の内部におけるバイオマス１２の分解の様子をわかり易くするために、第１乾燥層Ｓ１、第２乾燥層Ｓ２、炭化層Ｓ３、ガス化層Ｓ４及び加熱層Ｓ５の各部の境界が明確に分かれている図を用いたが、実際のガス化炉１４の内部においては、積層されたバイオマスの温度及び組成は、下方側へ向かうにつれて徐々に変化している。
【００５７】
また、本実施形態では、ガス化炉１４の内部において螺旋状に延在する螺旋管４４（ガス化剤供給管１８）を通じてガス化剤をガス化層Ｓ４のバイオマス１２へ供給した例について説明したが、本発明はこれに限定されない。ガス化炉１４の内部におけるガス化剤供給管１８の取り回しは、ガス化炉１４の内部に配置される他の部材との関係を考慮して適宜設定すればよい。
【００５８】
以上、本発明の一実施形態について説明したが、本発明は、上記に限定されるものでなく、その主旨を逸脱しない範囲内において上記以外にも種々変形して実施することが可能であることは勿論である。
【符号の説明】
【００５９】
１０   バイオマスガス化装置
１２   バイオマス
１４   ガス化炉
１８   ガス化剤供給管（ガス化剤供給部）
２０   生成ガス送出管（生成ガス送出部）
２４   熱交換器
３０   蓄熱パイプ（蓄熱部）
３４   固定篩（粉砕部）
３６   回転篩（粉砕部）
４４   螺旋管（管）
Ｓ１   第１乾燥層（乾燥層）
Ｓ２   第２乾燥層（乾燥層）
Ｓ３   炭化層
Ｓ４   ガス化層
Ｓ５   加熱層
【図１】
0006611348.tif 000002
【図２】
0006611348.tif 000003